【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
外部端末とＩＥＥＥ８０２．１１シリーズの通信規格に基づく無線通信を行う端末装置であって、
ＩＥＥＥ８０２．１１シリーズの通信規格のいずれとも異なる方法を用いて前記外部端末の無線通信情報とのデータ通信に用いるＩＥＥＥ８０２．１１シリーズの通信規格に基づくアクセスポイントに接続するための接続情報と、当該アクセスポイントが使用する動作周波数帯に関連する情報を取得する取得手段と、
前記取得された動作周波数帯に関連する情報に基づき特定される動作周波数帯が、前記端末装置が接続できる動作周波数帯であるかどうかを判定する判定手段と、
前記判定手段によって前記特定される動作周波数帯が、前記端末装置が接続できる動作周波数帯でないと判定された場合、前記取得された接続情報に基づく無線通信接続要求を試行することなく第１のエラー情報をユーザに通知する通知手段と、
前記判定手段によって前記特定される動作周波数帯が、前記端末装置が接続できる動作周波数帯であると判定された場合、前記取得された接続情報に基づいてアクセスポイントに対する無線通信接続要求を送信する要求手段と、
を有し、
前記通知手段は、前記無線通信接続要求に基づく前記アクセスポイントへの接続に失敗した場合、前記第１のエラー情報とは異なる第２のエラー情報を通知することを特徴とする端末装置。
【請求項２】
前記動作周波数帯に関連する情報は前記アクセスポイントが無線通信サービスを提供している動作周波数帯を示す情報であることを特徴とする請求項１に記載の端末装置。
【請求項３】
前記動作周波数帯に関連する情報は前記アクセスポイントがＩＥＥＥ８０２．１１シリーズのうち、いずれの規格に準拠する無線通信サービスを提供しているかを示す情報であることを特徴とする請求項１に記載の端末装置。
【請求項４】
前記取得手段は、二次元コードを読み取ることで前記接続情報と前記動作周波数帯に関連する情報を取得することを特徴とする請求項１乃至３のいずれか１項に記載の端末装置。
【請求項５】
前記取得手段は、近距離無線通信を用いて前記接続情報と前記動作周波数帯に関連する情報を取得することを特徴とする請求項１乃至３のいずれか１項に記載の端末装置。
【請求項６】
前記近距離無線通信は、ＮＦＣ（Ｎｅａｒ  Ｆｉｅｌｄ  Ｃｏｍｍｕｎｉｃａｔｉｏｎ）又はＢｌｕｅｔｏｏｔｈ（登録商標）の通信規格に則った無線通信であることを特徴とする請求項５に記載の端末装置。
【請求項７】
前記第１のエラー情報は、動作周波数帯に起因して前記アクセスポイントへの接続ができないことを示す情報を含むことを特徴とする請求項１乃至６のいずれか１項に記載の端末装置。
【請求項８】
外部端末とＩＥＥＥ８０２．１１シリーズの通信規格に基づく無線通信を行う情報処理装置が実行する情報処理方法であって、
ＩＥＥＥ８０２．１１シリーズの通信規格のいずれとも異なる方法を用いて前記外部端末の無線通信情報とのデータ通信に用いるＩＥＥＥ８０２．１１シリーズの通信規格に基づくアクセスポイントに接続するための接続情報と、当該アクセスポイントが使用する動作周波数帯に関連する情報を取得する取得工程と、
前記取得された動作周波数帯に関連する情報に基づき特定される動作周波数帯が、前記情報処理装置が接続できる動作周波数帯であるかどうかを判定する判定工程と、
前記判定工程によって前記特定される動作周波数帯が、前記情報処理装置が接続できる動作周波数帯でないと判定された場合、前記取得された接続情報に基づく無線通信接続要求を試行することなく第１のエラー情報をユーザに通知する通知工程と、
前記判定工程によって前記特定される動作周波数帯が、前記情報処理装置が接続できる動作周波数帯であると判定された場合、前記取得された接続情報に基づいてアクセスポイントに対する無線通信接続要求を送信する要求工程と、
を有し、
前記通知工程では、前記無線通信接続要求に基づく前記アクセスポイントへの接続に失敗した場合、前記第１のエラー情報とは異なる第２のエラー情報を通知することを特徴とする情報処理方法。
【請求項９】
請求項８に記載の情報処理装置の情報処理方法をコンピュータに実行させるためのプログラム。
【請求項１０】
ＩＥＥＥ８０２．１１シリーズの通信規格に基づくアクセスポイントとして機能する第１デバイスと前記第１デバイスと通信可能な第２デバイスを含む通信システムであって、
前記第１デバイスは、
前記ＩＥＥＥ８０２．１１シリーズの通信規格のうち少なくとも１つの規格のアクセスポイントとして前記第１デバイスが機能するよう制御する制御手段と、
前記アクセスポイントに接続するための接続情報と当該アクセスポイントが動作する動作周波数帯に関連する情報を前記ＩＥＥＥ８０２．１１シリーズの通信規格のいずれとも異なる方法で前記第２デバイスに提供する提供手段と、を有し、
前記第２デバイスは、
前記異なる方法で、前記アクセスポイントに接続するための接続情報と、当該アクセスポイントが使用する動作周波数帯に関連する情報を取得する取得手段と、
前記取得手段によって取得された動作周波数帯に関連する情報に基づき特定される動作周波数帯が、前記第２デバイスが接続できる動作周波数帯であるかどうかを判定する判定手段と、
前記判定手段によって前記第２デバイスが接続できる動作周波数帯でないと判定された場合、前記第２のデバイスは、前記取得された接続情報に基づく無線通信接続要求を試行することなく第１のエラー情報をユーザに通知する通知手段と、
前記判定手段によって前記第２デバイスが接続できる動作周波数帯であると判定された場合、前記取得された接続情報に基づいて前記第１デバイスが提供する前記アクセスポイントに対する無線通信接続要求を送信する要求手段と、を有し、
前記第２デバイスの通知手段は、前記無線通信接続要求に基づく前記アクセスポイントへの接続に失敗した場合、前記第１のエラー情報とは異なる第２のエラー情報を通知することを特徴とする通信システム。
【請求項１１】
前記第１デバイスは印刷装置であり、
前記第１デバイスが提供する前記アクセスポイントは、第１デバイスと第２デバイスとの間で直接無線通信を行うためのアクセスポイントであることを特徴とする請求項１０に記載の通信システム。
【請求項１２】
前記第１デバイスの前記提供手段は、前記接続情報と前記動作周波数帯に関連する情報とを格納した二次元コードを表示部に表示することで、前記接続情報とともに前記動作周波数帯に関連する情報を外部に提供し、
前記第２デバイスの前記取得手段は、前記第１デバイスの前記表示部に表示された前記二次元コードを読み取ることで前記アクセスポイントに接続するための接続情報と共に、当該アクセスポイントが使用する動作周波数帯に関連する情報を取得することを特徴とする請求項１０又は１１に記載の通信システム。
【請求項１３】
前記第１デバイスは、
第１近距離無線通信インタフェースと、
前記近距離無線通信インタフェースを介して前記接続情報とともに前記動作周波数帯に関連する情報を提供する第２の提供手段を有することを特徴とする請求項１２に記載の通信システム。
【請求項１４】
前記第１のエラー情報は、動作周波数帯に起因して前記アクセスポイントへの接続ができないことを示す情報を含むことを特徴とする請求項１０乃至１３のいずれか１項に記載の通信システム。
【手続補正２】
【補正対象書類名】明細書
【補正対象項目名】０００５
【補正方法】変更
【補正の内容】
【０００５】
本発明は、外部端末とＩＥＥＥ８０２．１１シリーズの通信規格に基づく無線通信を行う端末装置であって、ＩＥＥＥ８０２．１１シリーズの通信規格のいずれとも異なる方法を用いて前記外部端末の無線通信情報とのデータ通信に用いるＩＥＥＥ８０２．１１シリーズの通信規格に基づくアクセスポイントに接続するための接続情報と、当該アクセスポイントが使用する動作周波数帯に関連する情報を取得する取得手段と、前記取得された動作周波数帯に関連する情報に基づき特定される動作周波数帯が、前記端末装置が接続できる動作周波数帯であるかどうかを判定する判定手段と、前記判定手段によって前記特定される動作周波数帯が、前記端末装置が接続できる動作周波数帯でないと判定された場合、前記取得された接続情報に基づく無線通信接続要求を試行することなく第１のエラー情報をユーザに通知する通知手段と、前記判定手段によって前記特定される動作周波数帯が、前記端末装置が接続できる動作周波数帯であると判定された場合、前記取得された接続情報に基づいてアクセスポイントに対する無線通信接続要求を送信する要求手段と、を有し、前記通知手段は、前記無線通信接続要求に基づく前記アクセスポイントへの接続に失敗した場合、前記第１のエラー情報とは異なる第２のエラー情報を通知することを特徴とする。